(57)【要約】【課題】付着物の堆積が起こりにくく、運用と保守の容易な炉煙道構造を提供しようとする。【解決手段】従来の炉の内部で発生するガスをガス処理装置へ送る炉煙道構造にかわって、炉の上部に設けられ下端口が炉の内部に連通する略筒形状の下部空洞と該下部空洞の上端口に連通し該下部空洞より開口面積の広い上部空洞とを有する縦向き煙道と、前記縦向き煙道から横に延びて前記上部空洞とガス処理設備の内部とを連通する横向き煙道と、軸心を縦にして縦向き煙道の内部を上下に伸縮可能な縦向きロッドと該縦向きロッドの先端に固定され前記下部空洞の内部に付着した付着物をかき取り可能な縦向きロッド先とを有する縦向き煙道付着物除去装置と、を備えるものとした。【選択図】　　図１
2004003761.tif 000002
【特許請求の範囲】
【請求項１】
炉の内部で発生するガスをガス処理装置へ送る炉煙道構造であって、
炉の上部に設けられ下端口が炉の内部に連通する略筒形状の下部空洞と該下部空洞の上端口に連通し該下部空洞より開口面積の広い上部空洞とを有する縦向き煙道と、
前記縦向き煙道から横に延びて前記上部空洞とガス処理設備の内部とを連通する横向き煙道と、
軸心を縦にして縦向き煙道の内部を上下に伸縮可能な縦向きロッドと該縦向きロッドの先端に固定され前記下部空洞の内部に付着した付着物をかき取り可能な縦向きロッド先とを有する縦向き煙道付着物除去装置と、
を備えることを特徴とする炉煙道構造。
【請求項２】
前記上部空洞が、該下部空洞の上端口から上方へいくに従い開口面積の広がった逆台形型空洞と該逆台形型空洞から上方へ伸びた筒形状の筒型空洞とを有することを特徴とする請求項１に記載の炉煙道構造。
【請求項３】
前記逆台形型空洞の壁が付着物の安息角度以上で傾斜していることを特徴とする請求項２に記載の炉煙道構造。
【請求項４】
縦向き煙道が前記上部空洞の上に連通した前記ロッド先を格納可能な格納空洞を有し、
縦向き煙道付着物除去装置が前記格納空洞と前記上部空洞との境に炉の内部からの直接の輻射を遮断できる開閉可能な遮蔽壁を有することを特徴とする請求項１乃至請求項３に記載の炉煙道構造。
【請求項５】
軸心を横にして横向き煙道の内部を長手方向に伸縮可能な横向きロッドと該横向きロッドの先端に固定され前記横向き煙道の内部に付着した付着物をかき取り可能な横向きロッド先とを有する横向き煙道付着物除去装置を、
備えることを特徴とする請求項１乃至請求項４に記載の炉煙道構造。
【請求項６】
縦向き煙道が上部空洞に炉の内部からの直接の輻射を受けない空間領域を有し、
上記横向きロッドが短縮すると横向きロッド先を前記空間領域に置くことができることを特徴とする請求項５に記載の炉煙道構造。
【発明の詳細な説明】
【０００１】
【発明の属する技術分野】
本発明は、炉の内部で発生するガスをガス処理装置へ送る炉煙道構造に係る。特に煙道の壁に付着して固化しやすいガスを送るのに好適な構造を有する炉煙道構造に関する。
【０００２】
【従来の技術】
各種プラントでは、炉の内部で発生したガスを排ガスダクトを経由してガス処理装置へ送る構造がしばしば用いられる。
例えば、焼却炉で発生した焼却灰を破棄または再利用しやすくするために、溶融炉でその灰を溶融してスラグ化することが行われる。図４は、この灰の溶融固化プロセス図である。図には、灰搬送コンベヤ１と灰溶融炉２と電極３と排ガスダクト４と溶融排ガス燃焼器５と溶融排ガス冷却器６と溶融バグフィルタ７とスラグコンベヤ８とダストコンベヤ９との構成が示されている。
灰溶融炉２で灰を溶融すると、排ガスが加熱した灰から発生する。発生した排ガスは、溶融炉２から排ガスダクト４を通して溶融排ガス燃焼器５へ送られる。排ガスの未燃焼分は、溶融排ガス燃焼器５で燃焼される。この燃焼ガスは、溶融排ガス冷却器６で冷却され、固形分は下部より排出される。更に、排ガスに含まれる溶融飛灰は、溶融バブフィルタ７により捕捉される。
【０００３】
多くのダストが排ガス中に含まれており、排ガスダクト４の壁面に付着する。特に、溶融炉２から排ガスダクト４に入った際に、排ガスの温度が低下し、ダストが壁面に付着しやすい。長い時間ダストが付着しつづけると、堆積したダストが排ガスダクト４を閉塞してしまう。従って、排ガスダクト４に付着したダストを除去する必要がある。
このために、従来から排ガスダクト内のダストを除去する機構を有する炉煙道構造が考えられてきた。
【０００４】
例えば、特開平１０−２３８７４５では、「溶融炉の排ガスダクトの内面に付着、固化したダストを確実に除去できる付着物除去装置」として、「灰ガスダクト内面に接する刃体と、刃体を支持する支持部材と、ロッドを有し本体及び刃体保持部が排ガスダクト外に配設された駆動体とを備え、ロッドを排ガスダクト内に突入していて支持部材に接続されており、駆動体の本体により水平ダクト部の軸線方向に往復駆動せしめると共に、回転用駆動体により軸線まわりに回転し付着物を切削する付着物除去装置」が開示されている。
具体的な態様として、溶融炉内のガスが、排ガス口から出て、傾斜ダクト部、水平ダクト部、二次燃焼室を経て、燃焼室に導入される様になっている排ガスダクトが示されている。さらに、管状の傾斜ダクトと管状の水平ダクトが十文字に交差し、上記の付着物除去装置が傾斜ダクトと水平ダクトとの夫々に設けられた構造が示されている。
【０００５】
【発明が解決しようとする課題】
従来、上述の様な付着物除去装置を備えた排ガスダクトが用いられてきた。この構造では、付着物除去装置のロッドが刃体を揺動往復動させている間に、付着物の一部をロッド側へ引き寄せる。煙道の清掃作業が一段落すると、刃体を待機位置に待機させる。ロッドが短縮して刃体を待機位置に止めたときに、刃体が付着物をその待機位置にかき寄せる。清掃作業を何回も繰り返すうちに、待機位置に付着物が堆積してしまう。堆積した付着物の量が多くなると、刃体が待機位置に戻らなくなることがあった。特に、ダクトが横向きである場合には、この現象が顕著である。
このような現象を頻繁に発生してしまう排ガスダクトでは、待機位置の近傍に開閉可能な窓を予め設けておき、所定のサイクルでこの窓から堆積した付着物をかき出している。しかし、排ガスダクトの内部は高温であるので、注意深く行わなければならない作業であり、作業効率が悪かった。
【０００６】
また、排ガスダクト内は排ガスに混じった灰が付着しにくいように、排ガスダクト内の温度を灰が粘着性を増さない所定の温度以上に維持することが好ましい。
他方、排ガスダクト内に配設されたロッドと刃体と支持部材は耐熱金属製であるが、あまりに高価な材料を使用しなくてすむように、待機中の刃体の周囲の雰囲気温度を高くしない様にしておく必要がある。通常、刃体が待機位置にあって待機状態にある際に、刃体付近に冷却ガスを吹きつける等の対策をしている。刃体の周囲の雰囲気温度が高いと、その冷却ガスの量を多くする必要が生じ、排ガスダクト内の温度が低下して、付着物の蓄積を促進してしまう恐れもある。特に、炉の内部の高温の物体からの輻射が刃体の待機場所に直接当たると、刃体の周囲の雰囲気温度が高くなるので、冷却ガスの量を増やす必要が生じる。
【０００７】
本発明は以上に述べた問題点に鑑み案出されたもので、従来の炉の内部で発生するガスをガス処理装置へ送る炉煙道構造にかわって、付着物の堆積が起こりにくく、運用と保守の容易な炉煙道構造を提供しようとする。
【０００８】
【課題を解決するための機構】
上記目的を達成するため、本発明に係る炉の内部で発生するガスをガス処理装置へ送る炉煙道構造は、炉の上部に設けられ下端口が炉の内部に連通する略筒形状の下部空洞と該下部空洞の上端口に連通し該下部空洞より開口面積の広い上部空洞とを有する縦向き煙道と、前記縦向き煙道から横に延びて前記上部空洞とガス処理設備の内部とを連通する横向き煙道と、軸心を縦にして縦向き煙道の内部を上下に伸縮可能な縦向きロッドと該縦向きロッドの先端に固定され前記下部空洞の内部に付着した付着物をかき取り可能な縦向きロッド先とを有する縦向き煙道付着物除去装置と、を備えるものとした。
【０００９】
上記本発明の構成により、炉の上部に設けられた縦向き煙道において、略筒形状の下部空洞の下端口が炉の内部に連通し、該下部空洞より開口面積の広い上部空洞が該下部空洞の上端口に連通し、横向き煙道が前記縦向き煙道から横に延びて前記上部空洞とガス処理設備の内部とを連通し、縦向き煙道付着物除去装置において、縦向きロッドが軸心を縦にして縦向き煙道の内部を上下に伸縮可能で、縦向きロッド先が該縦向きロッドの先端に固定され前記下部空洞の内部に付着した付着物をかき取り可能なので、上部空隙に付着した付着物が大きくなると自重で落下して下部空隙から炉へ落ち、下部空洞に付着した付着物が縦向きロッドに伸縮される縦向きロッド先によりかき取られて炉に落下し、縦向きロッド先によりかき寄せられた付着物も自重で落下して下部空隙から炉へ落ちるので、縦向き煙道が付着物で埋まるのを防止できる。
【００１０】
さらに、本発明に係る炉煙道構造は、前記上部空洞が、該下部空洞の上端口から上方へいくに従い開口面積の広がった逆台形型空洞と該逆台形型空洞から上方へ伸びた筒形状の筒型空洞とを有するものとした。
上記本発明の構成により、
上部空洞において、逆台形型空洞の開口面積が該下部空洞の上端口から上方へいくに従い広がり、筒形状の筒型空洞が該逆台形型空洞から上方へ伸びるので、筒型空洞に付着した付着物が大きくなると自重で落下して逆台形型空洞の壁を滑落して下部空隙から炉へ落ち、縦向き煙道が付着物で埋まるのを防止できる。
【００１１】
さらに、本発明に係る炉煙道構造は、前記逆台形型空洞の壁が付着物の安息角度以上で傾斜しているものとした。
上記本発明の構成により、前記逆台形型空洞の壁の傾斜角度が付着物の安息角度以上であるので、逆台形型空洞の壁に付着した付着物が堆積しにくく、縦向き煙道が付着物で埋まるのを防止できる。
【００１２】
さらに、本発明に係る炉煙道構造は、縦向き煙道が前記上部空洞の上に連通した前記ロッド先を格納可能な格納空洞を有し、縦向き煙道付着物除去装置が前記格納空洞と前記上部空洞との境に炉の内部からの直接の輻射を遮断できる開閉可能な遮蔽壁を有するものとした。
上記本発明の構成により、前記ロッド先を格納可能な格納空洞が前記上部空洞の上に連通し、前記格納空洞と前記上部空洞との境にあり開閉可能な遮蔽壁が、炉の内部からの直接の輻射を遮断できるので、ロッド先を格納空隙に格納するとロッド先が炉の内部からの直接の輻射を受けずにすみ、ロッド先の雰囲気温度を低く維持することが容易になる。
【００１３】
さらに、本発明に係る炉煙道構造は、軸心を横にして横向き煙道の内部の長手方向に伸縮可能な横向きロッドと該横向きロッドの先端に固定され前記横向き煙道の内部に付着した付着物をかき取り可能な横向きロッド先とを有する横向き煙道付着物除去装置を、備えるものとした。
上記本発明の構成により、横向き煙道付着物除去装置において、横向きロッドが軸心を横にして横向き煙道の内部の長手方向に伸縮可能で、横向きロッド先が該横向きロッドの先端に固定され前記横向き煙道の内部に付着した付着物をかき取り可能なので、横向き煙道に付着した付着物が横向きロッドに伸縮される横向きロッド先によりかき取られて、横向きロッド先により縦向き煙道側へかき寄せられた付着物が自重で落下して縦向き煙道から炉へ落ちるので、横向き煙道が付着物で埋まるのを防止できる。
【００１４】
さらに、本発明に係る炉煙道構造は、縦向き煙道が上部空洞に炉の内部からの直接の輻射を受けない空間領域を有し、上記横向きロッドが短縮すると横向きロッド先を前記空間領域に置くことができるものとした。
上記本発明の構成により、炉の内部からの直接の輻射を受けない空間領域が上部空洞にあり、上記横向きロッドが短縮すると横向きロッド先を前記空間領域に置くことができるので、横向きロッド先を前記空間領域に置くと、ロッド先が炉の内部からの直接の輻射を受けずにすみ、ロッド先の雰囲気温度を低く維持することが容易になる。
【００１５】
【発明の実施の形態】
以下、本発明の好ましい実施形態を、図面を参照して説明する。なお、各図において、共通する部分には同一の符号を付し、重複した説明を省略する。
【００１６】
本発明の実施形態に係る炉煙道構造を、灰溶融炉から出る排ガスを溶融排ガス燃焼器へ導く炉煙道構造を例にとり、説明する。
炉煙道構造は、灰溶融炉（炉に相当する。）の内部で発生するガスを溶融排ガス燃焼器（ガス処理装置に相当する。）へ送る構造であって、縦向き煙道１０と横向き煙道２０と縦向き煙道付着物除去装置３０と横向き煙道付着物除去装置４０とを備える。
【００１７】
図１は、本発明の実施形態の全体側面図である。図２は、本発明の実施形態の部分側面図である。
【００１８】
縦向き煙道１０は、灰溶融炉２の上蓋の上部に設けられた煙道であって、下部空洞１１と上部空洞１２と格納空洞１３とを有する。下部空洞１１と上部空洞１２と格納空洞１３とは、ケーシングの内側にライニングされた耐火材により形成されている。
【００１９】
下部空洞１１は、下端口が炉の内部に連通する略筒形状の空洞である。図２では、略円筒形状の下部空洞１１が示されている。
【００２０】
上部空洞１２は、該下部空洞の上端口に連通し該下部空洞より開口面積の広い空洞であり、逆台形型空洞１２ａと筒型空洞１２ｂとで構成される。
逆台形型空洞１２ａは、該下部空洞の上端口から上方へいくに従い開口面積の広がった空洞である。
前記逆台形型空洞１２ａの壁が付着物の安息角度以上で傾斜していることが好ましい。
筒型空洞１２ｂは、逆台形型空洞から上方へ伸びた開口面積がほぼ一定の筒形状の空洞である。
図２では、下部空洞１１の上端口に連通し、円錐の母線が上方へ行くに従い傾斜角θで広がった逆さまになった台形円錐形状の逆台形型空洞１２ａと逆台形型空洞１２ａの上端に連通した円筒形状の筒型空洞１２ｂとで構成された上部空洞１２が示されている。
【００２１】
格納空洞１３は、前記上部空洞の上に連通して設けられた前記ロッド先を格納可能な空洞である。図２には、筒型空洞１２ｂの上部に連通し、筒型空洞１２ｂの外径よりも小さな外径を有する円筒形状の格納空洞１３が示されている。
格納空洞１３と筒型空洞１２ｂとの境には、後述する遮蔽壁３４が配設されている。
【００２２】
横向き煙道２０は、前記縦向き煙道１０から横に延びて前記上部空洞１２とガス処理設備５の内部とを連通する煙道であり、横向き空洞２１を有する。横向き空洞２１は、ケーシングの内側にライニングされた耐火材により形成されている。
【００２３】
横向き空洞２１は、長手方向を横向きにした開口面積が一定の空洞であり、一端を上部空洞１２の筒型空洞１２ｂに連通し、他端を溶融排ガス燃焼器５に連通する。
図２では、円筒形状の筒型空洞１２ｂの側壁に一端を連通する円筒形状の横向き空洞２１が示されている。
【００２４】
縦向き煙道付着物除去装置３０は、縦向き煙道１０に付着した付着物を除去する装置であり、縦向きロッド３１と縦向きロッド先３２と縦向きロッド伸縮機構３３と遮蔽壁３４とを有する。
縦向きロッド３１は、軸心を縦にして縦向き煙道の内部を上下に伸縮可能なロッドである。縦向きロッド３１は、縦向き煙道１０の最上端部を貫通している。縦向きロッド３１の先端部は、格納空洞１３の内部と下部空洞１１の下端口との間で軸回転しつつ往復移動可能になっている。その往復路の中で、縦向きロッド３０の先端部が格納空洞１３側に寄った位置を待機位置と呼ぶ。
【００２５】
縦向きロッド先３２は、縦向きロッドの先端に固定され前記下部空洞の内部に付着した付着物をかき取り可能なものであり、刃支持構造３２ａとかき取り刃３２ｂとを有する。縦向きロッド先３２の最外周端の幅距離は下部空洞１１の直径よりも僅かに小さくなっている。刃支持構造３２ａは、縦向きロッド３１に固定されかき取り刃３２ｂを支持する構造である。かき取り刃３２ｂは、炉壁に付着した付着物をかき取る刃である。図３では、縦向きロッド３１の先端に中央部を固定された棒状の刃支持構造３２ａと刃支持構造３２ａの両端に支持された一対のかき取り刃３２ｂが示されている。
【００２６】
縦向きロッド３１を軸中心に回転すると、刃支持構造３２ａにより公転運動をするかき取り刃３２ｂが縦向き煙道の炉壁に付着する付着物をかき取る様になっている。
【００２７】
遮蔽壁３４は、格納空洞１３と上部空洞１２との境に設けられ、炉の内部からの直接の輻射を遮断できる開閉可能な壁である。
図２には、格納空洞の下端口の両側にそれぞれ一端を回転可能に支持された一対の遮蔽壁３４が図示されている。一対の遮蔽壁３４が回転し、格納空隙１３と上部空洞１２との境を閉止すると、炉の内部からの直接の輻射を遮断できる。
【００２８】
横向き煙道付着物除去装置４０は、横向き煙道２０に付着した付着物を除去する装置であり、横向きロッド４１と横向きロッド先４２と横向きロッド伸縮機構４３とを有する。
横向きロッド４１は、軸心を横にして横向き煙道の内部を長手方向に伸縮可能なロッドである。横向きロッド４１は、縦向き煙道１０の上部空洞１２の側壁を貫通し、上部空洞１２ｂを横向きに横断して、横向き空洞２１の長手方向に伸縮可能になっている。横向きロッド３０の先端部は、上部空洞１２の側部と溶融排ガス燃焼器５の側部との間で軸回転しつつ往復移動可能になっている。その往復路の内で、横向きロッド４１の先端部が縦向き煙道１０の上部空洞１２の側壁に寄った位置を待機位置と呼ぶ。
【００２９】
横向きロッド先４２は、横向きロッドの先端に固定され横向き空洞２１の内部に付着した付着物をかき取り可能なものであり、刃支持構造４２ａとかき取り刃４２ｂとを有する。横向きロッド先４２の最外周端の幅距離は横向き空洞２１の直径よりも僅かに小さくなっている。刃支持構造４２ａは、横向きロッド４１に固定されかき取り刃４２ｂを支持する構造である。かき取り刃４２ｂは、炉壁に付着した付着物をかき取る刃である。図３では、横向きロッド４１の先端に中央部を固定された棒状の刃支持構造４２ａと刃支持構造４２ａの両端に支持された一対のかき取り刃４２ｂが示されている。
横向きロッド４１を軸中心に回転すると、刃支持構造４２ａにより公転運動をするかき取り刃４２ｂが横向き空洞２１の炉壁に付着する付着物をかき取る様になっている。
【００３０】
縦向き煙道１０が上部空洞に炉の内部からの直接の輻射を受けない空間領域１４を有し、横向きロッド４１が短縮すると横向きロッド先４２を空間領域１４に置くことができる様になっているのが好ましい。
図２では、上部空隙１２の壁側に炉の内部からの直接の輻射を受けない空間領域１４があり、横向きロッド先４２が空間領域１４の中に位置しているのが示されている。
【００３１】
以下に、本発明の実施形態に係る炉煙道構造の作用を、運用の手順に従って、説明する。
最初に、縦向き煙道付着物除去装置３０は縦向きロッド先３２を待機位置に置き、横向き煙道付着物除去装置４０は、横向きロッド先４２を待機位置に置く。
炉内で発生した排ガスは、下部空洞１１の下端部から縦向き煙道１０の下部空洞１１へ入り、上部空洞１２を通過し、横向き煙道２０を経て、溶融排ガス燃焼器５へ入る。
排ガス内の灰が、縦向き煙道１０と横向き煙道２０の壁面に付着し堆積する。上部空洞の開口面積は下部空洞の開口面積よりも大きいので、上部空洞の壁面に堆積した付着物がある程度大きくなっても、上部空洞を通過する排ガスの流れを邪魔しない。
上部空洞１２の筒型空洞１２ｂの壁面に堆積した付着物は、成長して大きくなると、自重で壁面から剥がれて落下する。上部空洞１２の逆台形型空洞１２ａの壁面に堆積した付着物は、成長して大きくなると、自重で壁面から剥がれて落下する。筒型空洞１２ｂと逆台形型空洞１２ａの壁面は切り立っているので、落下した付着物は、逆台形型空洞１２ｂの壁面を滑落し、下部空洞１１を通って炉２の内部へ落ちる。特に逆台形型空洞１２ｂの壁面が付着物の安息角以上に傾斜している場合は、付着物が壁に堆積しにくい。
【００３２】
付着物が縦向き煙道１０の壁面にある程度の量だけ堆積すると、縦向き煙道付着物除去装置を作動させる。遮蔽壁３４を開放する。縦向きロッド伸縮機構３３が、縦向きロッド３１を回転しつつ伸長する。縦向きロッド先３２が回転しながら、下部空洞３１の中を通過する際に、かき取り刃３２ｂが下部空洞１１の壁面に堆積した付着物をかき取る。かき取られた付着物は炉２の内部に落下する。
縦向きロッド伸縮機構３３が、縦向きロッド３１を回転しつつ短縮し、縦向きロッド先３２を待機位置に戻す。縦向きロッド先３２によりかき寄せられた付着物は自重により落下する。遮蔽壁３４を閉止する。遮蔽壁３４が炉の内部からの輻射を遮り、縦向きロッド先３２の周囲の雰囲気温度が上昇するのを防止するので、冷却ガスの量を少なくすることができる。
【００３３】
付着物が横向き煙道２０の壁面にある程度の量だけ堆積すると、横向き煙道付着物除去装置４０を作動させる。横向きロッド伸縮機構４３が、横向きロッド４１を回転しつつ伸長する。縦向きロッド先４２が回転しながら、横向き空洞４１の中を通過する際に、かき取り刃４２ｂが横向き空洞２１の壁面に堆積した付着物をかき取る。かき取られた付着物は炉２の内部と溶融排ガス燃焼器５の内部とに落下する。
横向きロッド伸縮機構４３が、横向きロッド４１を回転しつつ短縮し、横向きロッド先４２を待機位置に戻す。横向きロッド先４２によりかき寄せられた付着物は、自重により落下する。筒型空洞１２ｂと逆台形型空洞１２ａの壁面は切り立っているので、落下した付着物は、逆台形型空洞１２ｂの壁面を滑落し、下部空洞１１を通って炉２の内部へ落ちる。
横向きロッド先４２が待機位置に待機すると、待機位置が炉の内部からの直接の輻射を受けない空間領域であると、縦向きロッド先３２の周囲の雰囲気温度が上昇するのを防止するので、冷却ガスの量を少なくすることができる。
【００３４】
上述の実施形態の炉煙道構造を用いれば、炉から発生したガスによる付着物が炉煙道に溜まらず、また煙道付着物除去装置がかき取った付着物を炉煙道内に堆積させない。
また、作動しない時は、縦向き煙道付着物除去装置の縦向きロッド先を格納空間に収め、遮蔽壁を閉じて炉からの輻射をさえぎるので、縦向きロッド先を冷却する冷却ガスの量を少なくすることができ、炉煙道の内部温度を必要以上に下げずにすむ。
また。作動しない時は、横向き煙道付着物除去装置の横向きロッド先を炉からの輻射を直接受けない空間領域に置けるので、横向きロッド先を冷却する冷却ガスの量を少なくすることができ、炉煙道の内部温度を必要以上に下げずにすむ。
【００３５】
本発明は以上に述べた実施形態に限られるものではなく、発明の要旨を逸脱しない範囲で各種の変更が可能である。
炉は灰溶融炉であるとして説明したがこれに限定されずに、同様の機能を必要とする他の炉にも適用できる。
また、逆台形型空洞を逆さまの台形円錐形であるとして説明したがこれに限定されない。
【００３６】
【発明の効果】
以上説明したように本発明の炉の内部で発生するガスをガス処理装置へ送る炉煙道構造は、その構成により、以下の効果を有する。
縦向き煙道付着物除去装置が下部空隙とその下部空隙より大きな上部空隙が上下にかさなった縦向き煙道の内部に設けられているので、上部空隙に付着した付着物が大きくなると自重で落下して下部空隙から炉へ落ち、下部空洞に付着した付着物が縦向きロッドに伸縮される縦向きロッド先によりかき取られて炉に落下し、縦向きロッド先によりかき寄せられた付着物も自重で落下して下部空隙から炉へ落ちるので、縦向き煙道が付着物で埋まるのを防止できる。
また、上部空洞が逆台形型空洞の上に筒型空洞が重なった構造をしているので、筒型空洞に付着した付着物が大きくなると自重で落下して逆台形型空洞を滑落して下部空隙から炉へ落ち、縦向き煙道が付着物で埋まるのを防止できる。
また、逆台形型空洞の壁の傾斜角が安息角以上であるので、逆台形型空洞の壁に付着した付着物が堆積しにくく、縦向き煙道が付着物で埋まるのを防止できる。
また、格納空隙と上部空隙の境に遮蔽壁を設けたので、ロッド先を格納空隙に格納するとロッド先が炉の内部からの直接の輻射を受けずにすみ、ロッド先の雰囲気温度を低く維持することが容易になる。
また、横向き煙道付着物除去装置が横向き煙道に設けられているので、横向き煙道に付着した付着物が横向きロッドに伸縮される横向きロッド先によりかき取られて炉に落下し、横向きロッド先によりかき寄せられた付着物も自重で落下して縦向き煙道から炉へ落ちるので、横向き煙道が付着物で埋まるのを防止できる。
上部空洞に炉の内部からの直接の輻射を受けない空間領域を設けたので、横向きロッド先を前記空間領域に置くと、ロッド先が炉の内部からの直接の輻射を受けずにすみ、ロッド先の雰囲気温度を低く維持することが容易になる。
従って、付着物の堆積が起こりにくく、運用と保守の容易な炉煙道構造を提供提供できる。
【００３７】
【図面の簡単な説明】
【図１】本発明の実施形態の全体側面図である。
【図２】本発明の実施形態の部分側面図である。
【図３】本発明の実施形態の部分斜視図である。
【図４】灰の溶融固化プロセス図である。
【符号の説明】
１　　灰搬送コンベヤ
２　　灰溶融炉
３　　電極
４　　排ガスダクト
５　　溶融排ガス燃焼器
６　　溶融排ガス冷却器
７　　溶融バグフィルタ
８　　スラグコンベヤ
９　　ダストコンベヤ
１０　　縦向き煙道
１１　　下部空洞
１２　　上部空洞
１２ａ　逆台形型空洞
１２ｂ　筒型空洞
１３　　格納空洞
２０　　横向き煙道
２１　　横向き空洞
３０　　縦向き煙道付着物除去装置
３１　　縦向きロッド
３２　　縦向きロッド先
３３　　縦向きロッド伸縮機構
３４　　遮蔽壁
４０　　横向き煙道付着物除去装置
４１　　横向きロッド
４２　　横向きロッド先
４３　　横向きロッド伸縮機構
【図１】
2004003761.tif 000003
【図２】
2004003761.tif 000004
【図３】
2004003761.tif 000005
【図４】
2004003761.tif 000006